(57)【要約】【課題】簡単、清潔に塵埃の排出処理ができる電気掃除機を提供する。【解決手段】掃除機本体（図示せず）に着脱可能な集塵装置８は、導入された含塵空気を旋回させるケース上部３５の下方に設けられ、塵埃をろ過する略円筒形状のろ過フィルタ３６を有すると共に、ろ過フィルタ３６の外周側にろ過フィルタ３６の内周側と連通する空間３７を有したケース下部３８からなる第１分離部３３と、ケース下部３８の下方に配されろ過フィルタ３６で分離された塵埃を収容する粗塵収容部３４内の塵埃を排出する粗塵排出蓋５０と、第１分離部３３と連通すると共にその下流に位置し、第１分離部３３を通過した塵埃を分離する第２遠心分離部４０の下方に対向して配され、第２遠心分離部４０で分離された塵埃を細塵収容部４１へ移送する塵埃移送部４２と、細塵収容部４１内の塵埃を排出する細塵排出蓋５１を備え、塵埃移送部４２を傾斜面４２ａで形成した。【選択図】図８
2019118667.tif 000002
【特許請求の範囲】
【請求項１】
電動送風機を収容した掃除機本体と、前記掃除機本体に着脱可能に設けられ、前記電動送風機により吸引される含塵空気から塵埃を分離して捕集する集塵装置を備え、前記集塵装置は、前記含塵空気を導入すると共に前記含塵空気に旋回気流を生じさせる導入口が配設されたケース上部と、前記ケース上部の下方に設けられ、導入された前記含塵空気から塵埃をろ過する略円筒形状のろ過フィルタを有すると共に、前記ろ過フィルタの外周側に、前記ろ過フィルタの内周側と連通している空間を有したケース下部とから構成される第１分離部と、前記ケース下部の下方に設けられ、前記ろ過フィルタにより分離された塵埃を収容する粗塵収容部と、前記粗塵収容部に集塵された塵埃を排出するための粗塵排出蓋と、前記第１分離部と連通され、前記第１分離部の下流に位置し、前記第１分離部を通過した含塵空気中の塵埃を分離する旋回筒部を少なくとも１個有した第２遠心分離部と、前記第２遠心分離部の下方に対向して配設され、前記第２遠心分離部で分離された塵埃を前記第１分離部の外側に設けられた細塵収容部へ移送する塵埃移送部と、前記細塵収容部に集塵された塵埃を排出するための細塵排出蓋とを備え、前記塵埃移送部は、前記細塵収容部と連通した傾斜面で形成されていることを特徴とした電気掃除機。
【請求項２】
粗塵排出蓋と細塵排出蓋とを一体で構成した塵埃排出蓋を設けたことを特徴とした請求項１に記載の電気掃除機。
【請求項３】
細塵収容部を導入口側に設け、集塵装置は、塵埃移送部の傾斜面の傾斜角度が大きくなるように掃除機本体に傾斜させて取り付けられることを特徴とした請求項１または２に記載の電気掃除機。
【発明の詳細な説明】
【技術分野】
【０００１】
本発明は、電気掃除機に関するもので、特に、第１分離部と第２遠心分離部を有した集塵装置を備えた電気掃除機に関するものである。
【背景技術】
【０００２】
従来、この種の電気掃除機は、複数個の旋回筒部からなる第２遠心分離部の配置が、第１分離部の上側でかつ第１分離部の内筒の外周よりもさらに外周で構成され、第２遠心分離部で分離された細塵を、その直下に区画された塵埃溜め部へと直接落下させて溜めるように構成されている（例えば、特許文献１参照）。
【先行技術文献】
【特許文献】
【０００３】
【特許文献１】特許第５３６８６４５号公報
【発明の概要】
【発明が解決しようとする課題】
【０００４】
しかしながら、前記特許文献１に記載されたような従来の電気掃除機の構成では、塵埃は第１分離部内に設けられた内筒のフィルタ部を通り第２遠心分離部へ向かう構成であり、フィルタ部に毛髪等の細く長い塵埃が内筒部に絡みつき、その上に塵埃が張り付き積層していくことで、フィルタ部が目詰まりし、塵埃を捨てる際にフィルタ部から塵埃を取り除かなければならないという課題を有していた。
【０００５】
また、第２遠心分離部の下部に設けられた外郭をなすケース内の塵埃溜め部のケース上部と塵埃溜め部の底面距離が浅く、塵埃を捨てる際に塵埃溜め部に外部から流入する空気により細塵が舞い上がり周囲に飛散するという課題も有していた。
【０００６】
また、塵埃を捨てるために、カップ状のケースと第１分離部を構成する内筒を分割する際にケース内の塵埃をケース外に流出させて周囲に飛散するという課題を有していた。
【０００７】
本発明は、前記従来の課題を解決するもので、第１分離部で粗塵、第２遠心分離部で細塵を分離し、分離された各々の塵埃を集塵室に溜める構成で、塵埃の大きさを分けることで、塵埃を捨てる際に毛髪等の細く長い塵埃が筒部に絡みつくことなく、粗塵と細塵が混ざることで発生する細塵の舞い上がりによる人や衣服への付着やゴミ箱周囲の汚れを抑えた衛生的な電気掃除機を提供することを目的とする。
【課題を解決するための手段】
【０００８】
前記従来の課題を解決するために、本発明の電気掃除機は、電動送風機を収容した掃除機本体と、前記掃除機本体に着脱可能に設けられ、前記電動送風機により吸引される含塵空気から塵埃を分離して捕集する集塵装置を備え、前記集塵装置は、前記含塵空気を導入すると共に前記含塵空気に旋回気流を生じさせる導入口が配設されたケース上部と、前記ケース上部の下方に設けられ、導入された前記含塵空気から塵埃をろ過する略円筒形状のろ過フィルタを有すると共に、前記ろ過フィルタの外周側に、前記ろ過フィルタの内周側と連通している空間を有したケース下部とから構成される第１分離部と、前記ケース下部の下方に設けられ、前記ろ過フィルタにより分離された塵埃を収容する粗塵収容部と、前記粗塵収容部に集塵された塵埃を排出するための粗塵排出蓋と、前記第１分離部と連通され、前記第１分離部の下流に位置し、前記第１分離部を通過した含塵空気中の塵埃を分離する旋回筒部を少なくとも１個有した第２遠心分離部と、前記第２遠心分離部の下方に対
向して配設され、前記第２遠心分離部で分離された塵埃を前記第１分離部の外側に設けられた細塵収容部へ移送する塵埃移送部と、前記細塵収容部に集塵された塵埃を排出するための細塵排出蓋とを備え、前記塵埃移送部は、前記細塵収容部と連通した傾斜面で形成されているもので、導入口から流入した塵埃を含んだ空気は、ケース上部で旋回気流成分を与えられ、略円筒形状のろ過フィルタの内面を旋回下降しながら、略円筒形状のろ過フィルタによりろ過される。ろ過により分離された比較的大きな塵埃が、粗塵収容部へと導かれる。また、ろ過により分離された比較的大きな塵埃は、ろ過フィルタの内面を旋回するので、ろ過フィルタへの張り付きが低減される。
【０００９】
また、ろ過フィルタを通過したろ過フィルタの孔より小さい細塵は、旋回気流から発生する遠心力により空気と細塵とに分離させることが可能な、第１分離部の上方に位置した少なくとも１個以上の旋回筒部を有した第２遠心分離部によって、空気と細塵とに分離させることができる。第１分離部の外側には細塵収容部が設けられ、第２遠心分離部の下方に対向した位置に、第２遠心分離部で分離された塵埃を細塵収容部に落下させるために、細塵収容部と連通した傾斜面で形成された塵埃移送部が形成されている。そのため、細塵は細塵収容部に落下し堆積して溜まる。また、塵埃移送部は傾斜面で構成されているため、細塵は傾斜面に沿って細塵収容部に落下しやすい構成となっている。その後、使用者は、粗塵排出蓋及び／または細塵排出蓋を開けて塵埃を排出する。細塵と粗塵を別々に集塵することができるので、粗塵と細塵が混ざることで発生する細塵の舞い上がりを減少させることが可能となる。そのため、衛生的な電気掃除機を提供することができる。
【発明の効果】
【００１０】
本発明の電気掃除機は、細かな塵埃を舞い散らすことなく、清潔、簡単に塵埃の排出処理を行うことができる。そのため、衛生的な電気掃除機を提供することができる。
【図面の簡単な説明】
【００１１】
【図１】本発明の実施の形態１における電気掃除機の全体斜視図
【図２】同電気掃除機の掃除機本体の中央断面模式図
【図３】同電気掃除機の集塵装置の全体斜視図
【図４】同集塵装置の断面図
【図５】図４のＡ−Ａ断面図
【図６】同電気掃除機での清掃時における旋回気流および塵埃挙動を示す模式図
【図７】同電気掃除機で捕集された塵埃の塊の状態を示す図
【図８】同集塵装置の他の例を示す断面模式図
【発明を実施するための形態】
【００１２】
第１の発明は、電動送風機を収容した掃除機本体と、前記掃除機本体に着脱可能に設けられ、前記電動送風機により吸引される含塵空気から塵埃を分離して捕集する集塵装置を備え、前記集塵装置は、前記含塵空気を導入すると共に前記含塵空気に旋回気流を生じさせる導入口が配設されたケース上部と、前記ケース上部の下方に設けられ、導入された前記含塵空気から塵埃をろ過する略円筒形状のろ過フィルタを有すると共に、前記ろ過フィルタの外周側に、前記ろ過フィルタの内周側と連通している空間を有したケース下部とから構成される第１分離部と、前記ケース下部の下方に設けられ、前記ろ過フィルタにより分離された塵埃を収容する粗塵収容部と、前記粗塵収容部に集塵された塵埃を排出するための粗塵排出蓋と、前記第１分離部と連通され、前記第１分離部の下流に位置し、前記第１分離部を通過した含塵空気中の塵埃を分離する旋回筒部を少なくとも１個有した第２遠心分離部と、前記第２遠心分離部の下方に対向して配設され、前記第２遠心分離部で分離された塵埃を前記第１分離部の外側に設けられた細塵収容部へ移送する塵埃移送部と、前記細塵収容部に集塵された塵埃を排出するための細塵排出蓋とを備え、前記塵埃移送部は、前記細塵収容部と連通した傾斜面で形成されているもので、導入口から流入した塵埃を
含んだ空気は、ケース上部で旋回気流成分を与えられ、略円筒形状のろ過フィルタの内面を旋回下降しながら、略円筒形状のろ過フィルタによりろ過される。ろ過により分離された比較的大きな塵埃が、粗塵収容部へと導かれる。また、ろ過により分離された比較的大きな塵埃は、ろ過フィルタの内面を旋回するので、ろ過フィルタへの張り付きが低減される。
【００１３】
また、ろ過フィルタを通過したろ過フィルタの孔より小さい細塵は、旋回気流から発生する遠心力により空気と細塵とに分離させることが可能な、第１分離部の上方に位置した少なくとも１個以上の旋回筒部を有した第２遠心分離部によって、空気と細塵とに分離させることができる。第１分離部の外側には細塵収容部が設けられ、第２遠心分離部の下方に対向した位置に、第２遠心分離部で分離された塵埃を細塵収容部に落下させるために、細塵収容部と連通した傾斜面で形成された塵埃移送部が形成されている。そのため、細塵は細塵収容部に落下し堆積して溜まる。また、塵埃移送部は傾斜面で構成されているため、細塵は傾斜面に沿って細塵収容部に落下しやすい構成となっている。その後、使用者は、粗塵排出蓋及び／または細塵排出蓋を開けて塵埃を排出する。細塵と粗塵を別々に集塵することができるので、粗塵と細塵が混ざることで発生する細塵の舞い上がりを減少させることが可能となる。そのため、衛生的な電気掃除機を提供することができる。
【００１４】
第２の発明は、特に、第１の発明の粗塵排出蓋と細塵排出蓋とを一体で構成した塵埃排出蓋を設けたもので、使用者が塵埃排出蓋を開けることによって、粗塵収容部と細塵収容部に集塵された塵埃を、同時に排出することが可能となり、使い勝手の良い電気掃除機を提供することができる。
【００１５】
第３の発明は、特に、第１又は第２の発明の細塵収容部を導入口側に設け、集塵装置は、塵埃移送部の傾斜面の傾斜角度が大きくなるように掃除機本体に傾斜させて取り付けられるもので、細塵収容部へ細塵が更に落下しやすくなり、集塵装置内に細塵が残ることなく細塵収容部に集塵することが可能となる。そのため、衛生的な電気掃除機を提供することができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における電気掃除機の全体斜視図、図２は、同電気掃除機の掃除機本体の中央断面模式図、図３は、同電気掃除機の集塵装置の全体斜視図、図４は、同集塵装置の断面図、図５は、図４のＡ−Ａ断面図、図６は、同電気掃除機での清掃時における旋回気流および塵埃挙動を示す模式図、図７は、同電気掃除機で捕集された塵埃の塊の状態を示す写真である。
【００１８】
最初に、本実施の形態における電気掃除機１００の構成について説明する。
【００１９】
図１に示すように、電気掃除機１００は、掃除機本体１と、掃除機本体１の前方に設けた吸入口２に接続されるホース３と、ホース３の先端に設けられた接続パイプ４と、接続パイプ４に接続される延長管５と、延長管５の先端に設けられ塵埃を吸引する開口部（図示せず）を底面に有する吸込具６からなり、掃除機本体１には、塵埃を吸引する為の吸引風を発生させる電動送風機７（図２参照）が内蔵されると共に、塵埃を集塵する集塵装置８が搭載されている。
【００２０】
図２に示すように、掃除機本体１は、掃除機本体１の下面を形成する下枠体９と、掃除機本体１の上面を形成する上枠体１０から構成されており、下枠体９と上枠体１０は図示
しない爪やネジ等によって結合されている。掃除機本体１の上枠体１０の上部には、含塵空気から塵埃をろ過分離と遠心分離にて捕集する集塵装置８が掃除機本体１に所定角度傾斜した状態で着脱自在に取り付けられている。ここで、本実施の形態においては、集塵装置８が掃除機本体１の走行方向に対し、後方側に略４５度傾斜した状態で掃除機本体１に取り付けられるように構成している。
【００２１】
また、下枠体９の下面の前方には、走行用のキャスター１１が回動自在に取り付けられており、下枠体９の後方の左右両側面には、走行用の車輪１２が設けられており、少なくとも前後方向に沿って走行可能に構成されている。なお、以下、前後方向および左右方向は、掃除機本体１の走行方向を基準としている。
【００２２】
電動送風機７は、電動送風機ケース１３に内包されており、電動送風機７の吸引口１４が掃除機本体１に対して鉛直上方向になるように配置されている。また、電動送風機７の鉛直上方向にはフィルタ部１５を収納したフィルタケース１６が配置されており、電動送風機ケース１３とフィルタケース１６は図示しない爪やネジ等によって結合されている。
【００２３】
図２及び図３に示すように、集塵装置８は、外郭であるケース１７と、ケース１７の上面を覆い、ケース１７に着脱自在に構成された上蓋１８と、ケース１７の下面を覆い、ケース１７に回動自在に軸支された塵埃排出蓋１９とから構成されている。
【００２４】
上蓋１８は、集塵装置８内部の空気を掃除機本体１に排出するため、掃除機本体１に接続される排気口２０と略円筒状の側壁２１および天面（図示せず）から構成されている。また、上蓋１８には、持ち運び用の把手部２２と、それを軸支する把手部おさえ２３と飾り板２４が取り付けられ、ケース１７に上蓋１８を保持固定する尾錠２５を側面２箇所に軸支している。
【００２５】
ケース１７は、吸引した塵埃をケース１７内に導くとともに掃除機本体１に接続されるように導入口２６を形成している。導入口２６は、ケース１７の接線方向に向くように形成されている。
【００２６】
塵埃排出蓋１９は、ケース１７に設けたヒンジ部（図示せず）で回動可能で、係止部３０でケース１７に係止され、塵埃排出蓋１９に取り付けられた底蓋パッキン３１によってケース１７とエアータイト（気密性が保持）される。
【００２７】
以上のような構成により、吸込具６から吸い込まれる含塵空気は、掃除機本体１の前方に設けた吸入口２を経由して、略円筒状のケース１７内へ導入口２６から吸い込まれる。塵埃排出蓋１９は、係止部３０が回動することでロックが外れて、開閉できる構成となっており、操作レバー３２を押し下げることで、係止部３０が開き、塵埃排出蓋１９が開放される。
【００２８】
図４に示すように、集塵装置８の下部は、第１分離部３３と、粗塵収容部３４と、塵埃排出蓋１９とから構成されている。第１分離部３３は、塵埃を含む空気を導入する導入口２６を備えたケース上部３５と、ケース上部３５下方には、導入口２６から導入した含塵空気から塵埃をろ過する略円筒形状のろ過フィルタ３６及び、ろ過フィルタ３６の外周側にろ過フィルタ３６の内周側と連通している空間３７を有したケース下部３８とから構成されている。導入口２６は、ケース上部３５の内部に設けた中空円筒３９に対し、その円周断面の接線方向から気流が流入するように、偏心した位置に配置させている（図５）。粗塵収容部３４は、内周をろ過フィルタ３６の内周と一致させた有底略円錐台のカップ形状である。
【００２９】
第１分離部３３の上方には、空間３７と連通し、第１分離部３３を通過した含塵空気中の塵埃を分離する少なくとも１個以上の旋回筒部４６を有した第２遠心分離部４０が配設されており、また、第１分離部３３の外側に設けられた細塵収容部４１と、第２遠心分離部４０の下方に対向して位置すると共に、第２遠心分離部４０で分離された塵埃を細塵収容部４１に落下させるように、細塵収容部４１と連通した傾斜面４２ａで構成された塵埃移送部４２を備えた構成となっている。また、細塵収容部４１は、導入口２６側に配設されている。また、塵埃排出蓋１９を開けることによって、粗塵収容部３４に集塵された塵埃と、細塵収容部４１に集塵された塵埃とを同時に排出可能な構成としている。
【００３０】
以上のように構成された本実施の形態における電気掃除機１００について、以下その動作、作用を説明する。
【００３１】
まず、電動送風機７を運転開始すると吸引気流が発生し、吸込具６から吸い込まれた含塵空気は、延長管５、ホース３を経由して、導入口２６から集塵装置８に吸い込まれる。ここで、導入口２６は、図５に示すように、ケース上部３５の内部に設けた中空円筒３９に対し、その円周断面の接線方向から気流が流入するように、偏心した位置に配置させている。
【００３２】
このように導入口２６を配置することで、導入口２６よりケース上部３５の中空円筒３９内に流入した含塵空気は、中空円筒３９内周面に沿って流れるため、それまでの直線的な気流（図５矢印Ｂ）がここで旋回気流（図５矢印Ｃ）に変わることになる。ここで、本実施の形態では、導入口２６をケース上部３５の中空円筒３９内周接線方向に配置させて旋回気流を発生させているが、導入口２６が中央に位置していても図示しない案内路やガイド等で旋回気流が発生する構成であってもよい。
【００３３】
さらに、ろ過フィルタ３６が、導入口２６を有するケース上部３５の下方に配置されているため、図４の矢印Ｄに示すように、旋回しながら下降する斜め螺旋軌道の流れが生じる。この旋回下降気流は、ろ過フィルタ３６の表面を滑りながら下方へと流れて行く。
【００３４】
含塵空気がこのろ過フィルタ３６の表面を流れるとき、ろ過フィルタ３６の通気孔（図示せず）には、電動送風機７からの吸引圧が加わっている。ろ過フィルタ３６の通気孔の形状や中空円筒３９の断面形状は、塵埃に掛かる力を「旋回下降気流の流れ圧」＞「ろ過フィルタ３６の通気孔から受ける吸引圧」の関係とするように形成されている。
【００３５】
これにより、空気よりも重量がある塵埃は、その慣性力によってそのまま旋回下降する。一方、空気及びろ過フィルタ３６の通気孔よりも小さい塵埃は、図４の矢印Ｅ及び図６の矢印Ｆに示すように、ろ過フィルタ３６の外周側にろ過フィルタ３６の内周側と連通している空間３７を経て、第２遠心分離部４０へと流れる。このようにして、第１分離部３３において塵埃と空気との分離を行っている。
【００３６】
本実施の形態では、ろ過フィルタ３６の外周全面に無数の通気孔を設けており、ろ過フィルタ３６は、厚さ０．１５ｍｍの金属板をエッチング加工で、約０．２ｍｍ径の通気孔を無数に形成したものを、さらに後加工として電解研磨処理を行い、圧延形成で生じる金属板表面の粗さ、および、エッチング加工で生じた通気孔間口のエッヂ、通気孔内面の加工粗さを、ミクロンオーダーまで平坦化させた金属フィルタで構成しているため、旋回流が滑らかに流れることが可能である。
【００３７】
また、ろ過フィルタ３６の素材としては、樹脂や金属製の格子網を用いても良い。また、ろ過フィルタ３６の代用として筒自体に小さな孔を構成して形成してもよい。
【００３８】
その後、図６に示すように、ろ過フィルタ３６内を旋回下降する塵埃４４は、さらにその下方にある粗塵収容部３４まで旋回下降し、粗塵収容部３４の側面傾斜面４５に沿って内側に寄せられながら、底中央に到達する。
【００３９】
粗塵収容部３４でも旋回軌道が生じており、旋回軌道の気流の影響を受け、粗塵収容部３４の底に滞留している塵埃４４は、図６の矢印Ｆに示すように、ぐるぐると塵埃４４が偏って集まりながら旋回し、同時に、図６の矢印Ｇに示すように、塵埃４４自身がその場でスピン動作をしながら、旋回動作を行うようになる。
【００４０】
旋回動作を行っている塵埃４４は、旋回しながら、中空円筒３９の内壁面との摩擦、および旋回気流によって、塵埃同士、特に綿埃同士がフェルト状に絡まり合い、次第にマリモのような塊となっていく。さらには、髪の毛／糸くずを吸込むと、糸巻きのように塊となった塵埃４４に巻き付く。このように、塵埃４４は、マリモのような塊となり、旋回によってねじる方向に締め付けられて、その塊がより崩れにくい状態へとなりながら成長していくことになる（図７）。
【００４１】
また、第１分離部３３において分離されたろ過フィルタ３６の通気孔より小さい細塵と空気は、含塵空気を遠心分離する第２遠心分離部４０に入り第２遠心分離部４０によって細塵が遠心分離され、塵埃移送部４２を経て細塵収容部４１に蓄積される。ここで、集塵装置８は、略４５度傾斜した状態で掃除機本体１に取り付けられているため、傾斜面４２ａで形成されている塵埃移送部４２は傾斜面４２ａがよりきつく傾斜することとなり、細塵が細塵収容部４１へ移送されやすくなっている。なお、集塵装置８は必ずしも傾斜させて取り付ける必要は無く、細塵収容部４１へ細塵を移送することが可能であれば何ら問題はない。
【００４２】
また、第２遠心分離部４０を通過した塵埃を含まない空気は、上蓋１８に形成した排気口２０を通過し、フィルタ部１５を通過して電動送風機７の吸引口１４へ吸引され、掃除機本体１の外に排気される。
【００４３】
次に、掃除後の塵埃の排出について述べる。粗塵収容部３４と細塵収容部４１に集塵された各々の塵埃は、塵埃排出蓋１９を開けて同時に排出することができる。この時、粗塵収容部３４に集塵されている塵埃はマリモのようなボール状の固まりとなっているため、塵埃を捨てる際には、塵埃がバラけることがなく衛生的なゴミ捨てが可能である。
【００４４】
また、第１分離部３３内部には、突起などがなく塵埃が引っ掛からない構成となっているため、塵埃が引っ掛かって排出されないということがなく、スムーズなゴミ捨てを行うことができ、使い勝手が良い電気掃除機を提供することができる。
【００４５】
また、細塵収容部４１に溜められた細塵は、粗塵と混ざり合うことなく排出することができるので、粗塵と細塵が混ざり合い発生する細塵の舞い上がりによる人や衣服への付着やゴミ箱周囲の汚れを抑えることができ、衛生的なゴミ捨てが可能である。
【００４６】
ここで、塵埃排出蓋１９は、粗塵収容部３４と細塵収容部４１から塵埃を同時に排出可能となるように構成しているが、図８に示すように、塵埃排出蓋１９を粗塵収容部３４から塵埃を排出するための粗塵排出蓋５０と、細塵収容部４１から塵埃を排出するための細塵排出蓋５１と２箇所別々に設けてもよい。これにより、粗塵、細塵の集塵量を見ながらそれぞれの塵埃を別々に排出することができ、より使い勝手の良い集塵装置を提供可能となる。
【００４７】
ここで、塵埃移送部４２の表面粗さを小さく設定している。表面粗さによる摩擦係数が
減少することで滑り性能が向上し、第２遠心分離部４０から落下した細塵が、塵埃移送部４２を滑りやすくなり、塵埃移送部４２の途中で堆積して塵埃移送部４２を塞いで細塵を排出できなくなるといった不具合を改善することができ、細塵収容部４１へ堆積されやすくなる。表面粗さを細かくする手段としては、表面処理を行う方法があり、塗装やメッキ処理、アルマイト等の表面面粗度を改善する方法であれば特に限定しない。また、滑り性を向上させることが可能であれば、その他の方法であっても何ら問題ない。
【００４８】
尚、本実施の形態では、集塵装置８は、基本的にすべての塵埃をろ過分離と遠心分離して捕集することができるが、電動送風機７の起動時や運転終了時などの流入空気量が不安定な状態である場合に、集塵装置８でろ過分離と遠心分離しきれなかった塵埃を含んだ空気が一部、電動送風機７に吸い込まれるのを防止するためにフィルタ部１５を設けている。またフィルタ部１５の濾材をＨＥＰＡフィルタなどを採用することで、より集塵捕集性能を高め、清浄な空気の排気を実現することができる。
【産業上の利用可能性】
【００４９】
以上のように、本発明にかかる電気掃除機は、吸込まれた塵埃が円錐台振り子状に旋回動作するように、集塵部の形状と気流を構成したことによって、塵埃が互いに絡まり合い、また、髪の毛／糸くずが巻きつくことで、マリモのような塊となり、塵埃を捨てる際、塵埃がバラけて拡がって落ちることを抑えることができ、塵の舞い散りもなく簡単に排出処理が行えるようになり、家庭用電気掃除機だけでなく、業務用電気掃除機などさまざま種類の電気掃除機に使用することが可能となる。
【符号の説明】
【００５０】
１  掃除機本体
２  吸入口
３  ホース
４  接続パイプ
５  延長管
６  吸込具
７  電動送風機
８  集塵装置
９  下枠体
１０  上枠体
１１  キャスター
１２  車輪
１３  電動送風機ケース
１４  吸引口
１５  フィルタ部
１６  フィルタケース
１７  ケース
１８  上蓋
１９  塵埃排出蓋
２０  排気口
２１  側壁
２２  把手部
２３  把手部おさえ
２４  飾り板
２５  尾錠
２６  導入口
３０  係止部
３１  底蓋パッキン
３２  操作レバー
３３  第１分離部
３４  粗塵収容部
３５  ケース上部
３６  ろ過フィルタ
３７  空間
３８  ケース下部
３９  中空円筒
４０  第２遠心分離部
４１  細塵収容部
４２  塵埃移送部
４２ａ  傾斜面
４４  塵埃
４５  側面傾斜面
４６  旋回筒部
５０  粗塵排出蓋
５１  細塵排出蓋
１００  電気掃除機
【図１】
2019118667.tif 000003
【図２】
2019118667.tif 000004
【図３】
2019118667.tif 000005
【図４】
2019118667.tif 000006
【図５】
2019118667.tif 000007
【図６】
2019118667.tif 000008
【図７】
2019118667.tif 000009
【図８】
2019118667.tif 000010